(57)【要約】【課題】優れた衝撃吸収効果をもたらし、かつゴルフクラブの製造コストを低減することができるゴルフクラブヘッドを提供すること。【解決手段】ゴルフクラブヘッドは、本体と、ショックアブソーバーと、プラグ組立体とを含む。前記本体は、複数の面と、内部のチェンバーと、注入ベースと、少なくとも１つの排出穴とを有する。前記注入ベースは、前記前面の近傍の前記面の１つに形成されており、前記チェンバーと連通する注入穴を有する。前記ショックアブソーバーは、中空であり、前記チェンバーに取り付けられ、前記チェンバーの内面及び打球板に密接している。前記プラグ組立体は、前記注入ベースに固定されており、気密性の膨張用パッドと、プラグベースとを有する。前記膨張用パッドは、前記注入ベースの前記注入穴に取り付けられており、前記注入穴と前記チェンバーとの間の通路を塞ぐ。前記プラグベースは、前記注入穴に取り付けられており、前記膨張用パッドに圧力を加える。【選択図】図１
2009153964.tif 000002
【特許請求の範囲】
【請求項１】
打球板を有する前面を含む複数の面と、内面を有するチェンバーと、前記前面の近傍の前記面の１つに形成された注入ベースであって前記チェンバーと連通する注入穴を有する注入ベースと、前記前面の近傍の前記面の１つに形成され、前記チェンバーと連通する少なくとも１つの排出穴とを有する中空の本体と、
前記チェンバーに取り付けられ、該チェンバーの前記内面及び前記打球板に密接する中空のショックアブソーバーと、
前記注入ベースに固定されたプラグ組立体であって前記注入ベースの前記注入穴に取り付けられ、該注入穴と前記チェンバーとの間の通路を塞ぐ気密性の膨張用パッドと、前記注入穴に取り付けられ、前記膨張用パッドに圧力を加えるプラグベースとを有するプラグ組立体とを含む、ゴルフクラブヘッド。
【請求項２】
前記本体の前記面は、前記前面と反対側の後面を含み、前記注入ベース及び前記排出穴は前記後面に形成されている、請求項１に記載のゴルフクラブヘッド。
【請求項３】
前記注入ベースの前記注入穴にねじ山が形成されており、前記注入穴は、前記通路が設けられた底部を有し、前記プラグベースは前記注入穴に螺合されている、請求項２に記載のゴルフクラブヘッド。
【請求項４】
前記プラグベースに、該プラグベースの軸線方向に伸びるねじ穴が設けられており、前記プラグ組立体は、前記プラグベースと前記膨張用パッドとの間に配置されたワッシャーと、前記プラグベースの前記ねじ穴に螺合されたボルトと、前記注入ベースの前記注入穴に固定された化粧パネルであって前記本体の前記後面と同一平面上にある外面を有する化粧パネルとを有する、請求項３に記載のゴルフクラブヘッド。
【請求項５】
前記注入ベースの前記注入穴にねじ山が形成されており、前記注入穴は、前記通路が設けられた底部を有し、前記プラグベースは前記注入穴に螺合されている、請求項１に記載のゴルフクラブヘッド。
【請求項６】
前記プラグベースに、該プラグベースの軸線方向に伸びるねじ穴が設けられており、前記プラグ組立体は、前記プラグベースと前記膨張用パッドとの間に配置されたワッシャーと、前記プラグベースの前記ねじ穴に螺合されたボルトと、前記注入ベースの前記注入穴に固定された化粧パネルであって前記注入ベースが形成されている前記本体の面と同一平面上にある外面を有する化粧パネルとを有する、請求項５に記載のゴルフクラブヘッド。
【請求項７】
前記プラグベースに、該プラグベースの軸線方向に伸びるねじ穴が設けられており、前記プラグ組立体は、前記プラグベースと前記膨張用パッドとの間に配置されたワッシャーと、前記プラグベースの前記ねじ穴に螺合されたボルトと、前記注入ベースの前記注入穴に固定された化粧パネルであって前記注入ベースが形成されている前記本体の面と同一平面上にある外面を有する化粧パネルとを有する、請求項１に記載のゴルフクラブヘッド。
【請求項８】
打球板と、チェンバーと、注入穴を有する注入ベースと、少なくとも１つの排出穴とを有する中空の本体を形成すること、
前記注入ベースの前記注入穴を経て前記本体の前記チェンバーにショックアブソーバー材料を注入すること、
前記チェンバーの形状に対応しかつ前記チェンバーの内面及び前記打球板に密接する中空のショックアブソーバーを形成するために、前記ショックアブソーバー材料を膨張させるように前記注入穴へ空気を送ること、
前記ショックアブソーバーの内部の圧力のレベルを維持すること、
前記ショックアブソーバーの内部の前記圧力を除去すること、
前記注入穴と前記チェンバーとの間の通路を塞ぐように前記注入ベースの前記注入穴に気密性の膨張用パッドとプラグベースとを順に取り付けること、
予め決められた圧力レベルで前記膨張用パッドを経て前記ショックアブソーバーの内部に空気を入れること、
前記注入ベースの前記注入穴を塞ぐことを含む、ゴルフクラブヘッドの製造方法。
【請求項９】
前記注入ベースの前記注入穴を塞ぐことは、前記プラグベースにボルトを螺合させること、接着剤により前記注入穴に化粧パネルを取り付けることを含む、請求項８に記載のゴルフクラブヘッドの製造方法。
【発明の詳細な説明】
【技術分野】
【０００１】
本発明は、ショックアブソーバーを有するゴルフクラブヘッド及びその製造方法に関する。
【背景技術】
【０００２】
衝撃吸収効果を高めるため、従来のゴルフクラブヘッドは、通常、ゴルフボールを打つときに生じる衝撃がゴルフプレーヤーに伝わるのを防止するショックアブソーバーを有する。「気体クッションを有するゴルフクラブヘッド」に関する特許文献１には、少なくとも１つの気体クッションを備えるショックアブソーバーを有するゴルフクラブヘッドが記載されている。
【特許文献１】米国特許第７、２８１、９８９号明細書
【０００３】
前記ゴルフクラブヘッドにショックアブソーバーを取り付けるため、前記ゴルフクラブヘッドの中空の本体に、圧力レベルで圧縮された空気を収容する空気セルを開口部を経て圧入する。その後、前記開口部を塞ぐために溶接又はプレス処理により前記本体に板を固定する。前記空気セルの内部の圧力が衝撃吸収効果を生じさせる。
【発明の開示】
【発明が解決しようとする課題】
【０００４】
しかし、前記空気セルがゴム又はプラスチックで作られているため、前記空気セルは溶接中に容易に破壊され、破壊された空気セルから空気が放出する。また、前記空気セルは前記ゴルフクラブヘッドの打球板に完全に接触することができず、前記ゴルフクラブヘッドの衝撃吸収効果は、低く、完全に無いことさえある。
【０００５】
前記本体に前記板をプレス処理により取り付けた場合、前記板は、前記空気セルの内部の圧力により与えられる反発力により前記本体の前記開口部から容易に外れる。前記ゴルフクラブヘッドは耐久性に劣る。
【０００６】
本発明は、前記した問題点を改善するゴルフクラブヘッドを提供する。
【０００７】
本発明の目的は、優れた衝撃吸収効果をもたらし、かつゴルフクラブの製造コストを低減することができるゴルフクラブヘッドを提供することである。
【課題を解決するための手段】
【０００８】
本発明に係るゴルフクラブヘッドは、本体と、ショックアブソーバーと、プラグ組立体とを含む。前記本体は、中空であり、複数の面と、内部のチェンバーと、注入ベースと、少なくとも１つの排出穴とを有する。前記面は、打球板を有する前面を含む。前記チェンバーは内面を有する。前記注入ベースは前記前面の近傍の前記面の１つに形成されている。前記注入ベースは、前記チェンバーと連通する注入穴を有する。前記排出穴は、前記前面の近傍の前記面の１つに形成されており、前記チェンバーと連通している。前記ショックアブソーバーは、中空であり、前記チェンバーに取り付けられており、該チェンバーの前記内面及び打球板に密接している。前記プラグ組立体は前記注入ベースに固定されている。前記プラグ組立体は、気密性の膨張用パッドと、プラグベースとを有する。前記膨張用パッドは、前記注入ベースの前記注入穴に取り付けられており、前記注入穴と前記チェンバーとの間の通路を塞ぐ。前記プラグベースは、前記注入穴に取り付けられており、前記膨張用パッドに圧力を加える。
【０００９】
本発明に係るゴルフクラブヘッドの製造方法は、打球板と、チェンバーと、注入穴を有する注入ベースと、少なくとも１つの排出穴とを有する中空の本体を形成すること、前記注入ベースの前記注入穴を経て前記本体の前記チェンバーにショックアブソーバー材料を注入すること、前記チェンバーの形状に対応しかつ前記チェンバーの内面及び前記打球板に密接する中空のショックアブソーバーを形成するため、前記ショックアブソーバー材料を膨張させるように前記注入穴へ空気を送ること、前記ショックアブソーバーの内部の圧力のレベルを維持すること、前記ショックアブソーバーの内部の前記圧力を除去すること、前記注入穴と前記チェンバーとの間の通路を塞ぐように前記注入ベースの前記注入穴に気密性の膨張用パッドとプラグベースとを順に取り付けること、予め決められた圧力レベルで前記膨張用パッドを経て前記ショックアブソーバーの内部に空気を入れること、前記注入ベースの前記注入穴を塞ぐことを含む。
【００１０】
本発明の他の目的、利点及び新規な特徴は、添付の図面に関する以下の詳細な説明からより明らかになる。
【発明を実施するための最良の形態】
【００１１】
図１に示すように、ゴルフクラブヘッドは、本体１０と、ショックアブソーバー２０と、プラグ組立体４０とを含む。
【００１２】
本体１０は、中空であり、複数の面と、内部のチェンバー１０１と、注入ベース１１と、少なくとも１つの排出穴１２とを有する。前記面は、打球板１６を有する前面と、該前面と反対側の後面と、上面と、下面とを含む。チェンバー１０１は内面を有する。注入ベース１１は前記前面の近傍の前記面の１つに形成されている。注入ベース１１は、好ましくは、図１に示したように、本体１０の前記後面に形成されている。注入ベース１１は、チェンバー１０１と連通する注入穴１４を有する。注入穴１４にねじ山が形成されており、注入穴１４は、該注入穴とチェンバー１０１との間の通路１３が設けられた底部を有する。
【００１３】
排出穴１２は、前記前面の近傍の前記面の１つに、好ましくは前記後面に形成されており、チェンバー１０１と連通している。
【００１４】
ショックアブソーバー２０は、中空であり、チェンバー１０１に取り付けられており、該チェンバーの前記内面及び打球板１６に密接している。ショックアブソーバー２０は、衝撃吸収効果を生じさせる圧力レベルで圧縮された空気を収容している。
【００１５】
プラグ組立体４０は、注入ベース１１に固定されており、気密性の膨張用パッド３０と、プラグベース４１と、ワッシャー４２と、ボルト４３と、化粧パネル４４とを有する。
【００１６】
膨張用パッド３０は、弾性を有し、注入ベース１１の注入穴１４に取り付けられており、通路１３を塞いでいる。
【００１７】
プラグベース４１は、注入ベース１１の注入穴１４に取り付けられており、膨張用パッド３０に圧力を加える。プラグベース４１は、外側のねじ山を有し、注入穴１４に螺合されている。プラグベース４１に、該プラグベースの軸線方向に伸びるねじ穴が設けられている。ワッシャー４２はプラグベース４１と膨張用パッド３０との間に配置されている。ボルト４３はプラグベース４１の前記ねじ穴に螺合されている。化粧パネル４４は注入ベース１１の注入穴１４に固定されている。化粧パネル４４は、注入ベース１１が形成されている本体１０の面と同一平面上にある外面を有する。
【００１８】
前記ゴルフクラブヘッドは、図１に示したように、アイアンのクラブヘッドでもよいし、図９に示すように、中空のショックアブソーバー６０を有するウッドのクラブヘッド５０でもよく、多目的に使用できる。
【００１９】
前記ゴルフクラブヘッドを製造するため、図２に示すように、チェンバー１０１と、注入穴１４を有する注入ベース１１と、少なくとも１つの排出穴１２とを有する中空の本体１０を形成する。
【００２０】
次に、図３に示すように、注入ベース１１の注入穴１４及び通路１３を経て本体１０のチェンバー１０１にショックアブソーバー材料２０Ａを注入する。
【００２１】
その後、図４、５に示すように、チェンバー１０１の形状に対応しかつチェンバー１０１の前記内面及び打球板１６に密接する中空のショックアブソーバー２０を形成するため、ショックアブソーバー材料２０Ａを膨張させるように注入穴１４に空気を送る。チェンバー１０１の内部の空気は、ショックアブソーバー２０をチェンバー１０１の前記内面及び打球板１６に密接させるために、排出穴１２から排出される。
【００２２】
ショックアブソーバー材料２０Ａを注入し、膨張させる前に、チェンバー１０１とショックアブソーバー２０との接触領域を増すためにチェンバー１０１の前記内面をサンドブラスト処理により粗くしてもよい。ショックアブソーバー材料２０Ａは、チェンバー１０１の前記内面及び打球板１６との結合強さを増すために、接着剤を含むものとすることができる。
【００２３】
予め決められた時間、ショックアブソーバー２０の内部の圧力のレベルを維持し、維持時間が終了したときに注入穴１４を経てショックアブソーバー２０の内部の前記圧力を除去する。
【００２４】
図６に示すように、注入穴１４とチェンバー１０１との間の通路１３を塞ぐように注入ベース１１の注入穴１４に膨張用パッド３０とプラグベース４１とを順に取り付ける。
【００２５】
膨張用ニードルを用いて、予め決められた圧力レベルで膨張用パッド３０を経てショックアブソーバー２０の内部に空気を入れる。
【００２６】
図７、８に示すように、注入ベース１１の注入穴１４を塞ぐ。注入穴１４を塞ぐために、プラグベース４１にボルト４３を螺合させ、その後、接着剤により注入穴１４に化粧パネル４４を取り付ける。
【００２７】
ショックアブソーバー２０がチェンバー１０１の前記内面に密接しているため、ショックアブソーバー２０の内部の圧力により、ゴルフクラブがボールを打つときに生じる衝撃を効率的に吸収し、除去することができる。このため、前記衝撃がゴルフプレーヤーに伝わるのを防止することができ、ゴルフクラブを快適に使用することができる。ショックアブソーバー２０が、空気によりショックアブソーバー材料２０Ａを膨張させることにより形成されているため、ショックアブソーバー２０の厚さを薄くすることができ、ショックアブソーバー２０の材料の量を減らすことができる。従来のゴルフクラブにおいて必要とされた溶接又はプレス処理が不要であり、ゴルフクラブの製造コストが低減される。溶接をしないため、ショックアブソーバー２０が製造中に容易に破壊されることはなく、ショックアブソーバー２０の内部の圧力を長時間維持することができ、ショックアブソーバー２０により与えられる衝撃吸収効果を高めることができる。
【図面の簡単な説明】
【００２８】
【図１】本発明に係るゴルフクラブヘッドの分解縦断面図。
【図２】図１に示したゴルフクラブヘッドの本体の縦断面図。
【図３】材料が注入ベースを経て本体に注入されていることを示す、図１に示したゴルフクラブヘッドの本体の縦断面図。
【図４】材料に空気が送られていることを示す、図１に示したゴルフクラブヘッドの本体の縦断面図。
【図５】材料が、本体のチェンバーの形状に対応する形状へ膨張されていることを示す、図１に示したゴルフクラブヘッドの本体の縦断面図。
【図６】ショックアブソーバーに空気を入れることを示す、図１に示したゴルフクラブヘッドの本体の縦断面図。
【図７】ボルトにより注入ベースを塞ぐことを示す、図１に示したゴルフクラブヘッドの本体の縦断面図。
【図８】化粧パネルにより注入ベースを塞ぐことを示す、図１に示したゴルフクラブヘッドの本体の縦断面図。
【図９】本発明の他の実施例に係るゴルフクラブヘッドの縦断面図。
【符号の説明】
【００２９】
１０    本体
１１    注入ベース
１２    排出穴
１３    通路
１４    注入穴
１６    打球板
２０    ショックアブソーバー
２０Ａ    ショックアブソーバー材料
３０    膨張用パッド
４０    プラグ組立体
４１    プラグベース
４２    ワッシャー
４３    ボルト
４４    化粧パネル
１０１    チェンバー
【図１】
2009153964.tif 000003
【図２】
2009153964.tif 000004
【図３】
2009153964.tif 000005
【図４】
2009153964.tif 000006
【図５】
2009153964.tif 000007
【図６】
2009153964.tif 000008
【図７】
2009153964.tif 000009
【図８】
2009153964.tif 000010
【図９】
2009153964.tif 000011